(57)【特許請求の範囲】
【請求項１】
吸引バッグ(3)を中に入れるための蓋付き容器（15）を含み、容器（15）が、該吸引バッグ(3)の内容物の除去のための吐出点（17）を有する、吸引バッグ(3)用の内容物排出装置（13）であって、
内容物排出装置（13）が、蓋付きの該吸引バッグ(3)を該蓋によってホルダーから吊り下げるための該ホルダーと、加圧下の吸引バッグ(3)が包囲ジャケット(24)によって守られた区域から膨れる可能性がないように該吸引バッグ(3)を横方向に支持するための該包囲ジャケット（24）とを有し、内容物排出装置（13）の蓋（14）が、吸引バッグ（3）の蓋（4）を穿刺するためのおよび空にする吸引バッグ（3）の中に加圧された液体または気体を供給するための手段を含み、該手段が、該加圧された液体または気体の流れによる吸引バッグ(3)の膨らみおよび破裂を引き起こすことができかつ該加圧された液体または気体の流れによる該吸引バッグ(3)の内側の洗浄を十分な期間続けることができる、該加圧された液体または気体の供給源に、蓋(14)の外面側で接続されることを特徴とする、
内容物排出装置（13）。
【請求項２】
内容物排出装置（13）が、空にする吸引バッグ（3）のための一つの位置を有し、該吸引バッグ(3)を横方向に支持する包囲ジャケット（24）が、容器（15）の内壁であることを特徴とする、請求項1記載の内容物排出装置。
【請求項３】
内容物排出装置（13）が、空にする吸引バッグ（3）のための複数の位置を有し、該吸引バッグ(3)を横方向に支持する包囲ジャケット（24）が、容器（15）の内側の別個の構造部品であることを特徴とする、請求項1記載の内容物排出装置。
【請求項４】
−  吸引バッグ（3）が、蓋（4）と、該蓋（4）に固着されたバッグ部分とを含み；
−  吸引バッグ内容物排出装置（13）が、
−  該吸引バッグ(3)の内容物の除去のための吐出点（17）を有する容器（15）と；
−  該容器（15）が、底からホルダーまでの高さを有し、この高さが吸引バッグ（3）の長さよりも大きい、蓋付きの該吸引バッグ（3）を該蓋（4）によって該ホルダーから吊り下げるための該ホルダーと；
−  加圧下の吸引バッグ(3)が包囲ジャケット(24)によって守られた区域から膨れる可能性がないように吸引バッグ（3）のバッグ部分の側面を包囲する、吸引バッグ（3）の横方向支持のための該包囲ジャケット（24）と；
−  吸引バッグ（3）の蓋（4）を穿刺するためのおよび該吸引バッグ(3)の中に加圧された液体または気体を供給するための手段を含む蓋（14）であって、該手段が、該加圧された液体または気体の流れによる吸引バッグ(3)の膨らみおよび破裂を引き起こすことができかつ該加圧された液体または気体の流れによる吸引バッグ(3)の内側の洗浄を十分な期間続けることができる、該加圧された液体または気体の供給源に、蓋(14)の外面側で接続される、該蓋（14）と
を含む、
少なくとも一つの吸引バッグ（3）と吸引バッグ内容物排出装置（13）とを含む、アセンブリ。
【請求項５】
内容物排出装置（13）が、空にする吸引バッグ（3）のための一つの位置を有し、該吸引バッグ(3)を横方向に支持する包囲ジャケット（24）が、容器（15）の内壁であることを特徴とする、請求項4記載のアセンブリ。
【請求項６】
内容物排出装置（13）が、空にする吸引バッグ（3）のための複数の位置を有し、該吸引バッグ(3)を横方向に支持する包囲ジャケット（24）が、容器（15）の内側の別個の構造部品であることを特徴とする、請求項4記載のアセンブリ。
【請求項７】
−  蓋（14）と吸引バッグ（3）の内容物の除去のための吐出点（17）とを有し、蓋付きの該吸引バッグ(3)を該蓋（4）によってホルダーから吊り下げるための該ホルダーを有し、底から該ホルダーまでの高さを有し、この高さが吸引バッグ（3）の長さよりも大きい、容器（15）、加圧下の吸引バッグ(3)が包囲ジャケット(24)によって守られた区域から膨れる可能性がないように該吸引バッグ(3)を横方向に支持するための包囲ジャケット（24）、ならびに該吸引バッグ(3)の蓋を穿刺するためのおよび空にする該吸引バッグ(3)の中に加圧された液体または気体を供給するための手段を含む蓋（14）
を含む、内容物排出装置（13）を選択する工程；
−  液体を含む蓋付きの該吸引バッグ（3）をその蓋（4）によって内容物排出装置（13）の容器（15）の該ホルダーから吊り下げる工程；
−  吸引バッグ（3）の蓋（4）を穿刺するために該容器の蓋（14）を閉じる工程；
−  吸引バッグ（3）を空にするために該吸引バッグ(3)の中に加圧された液体または気体を供給する工程であって、該加圧された液体または気体の流れが吸引バッグ(3)の膨らみおよび破裂を引き起こし、該加圧された液体または気体の流れによる吸引バッグ(3)の内側の洗浄が十分な期間続けられる、工程；
−  該加圧された液体または気体の流れを停止する工程；ならびに
−  空の吸引バッグ（3）を内容物排出装置（13）から取り出す工程
を含む、吸引バッグ（3）を空にする方法。
【請求項８】
複数のホルダーを有する内容物排出装置（13）を選択すること、複数の吸引バッグ（3）を内容物排出装置（13）の該ホルダーに配置すること、吸引バッグ（3）を穿刺するために容器（15）の蓋（14）を閉じること、および吸引バッグ（3）の中に加圧された液体または気体を供給することを特徴とする、請求項7記載の方法。
【請求項９】
複数のホルダーおよび複数の蓋（14）を有する内容物排出装置（13）を選択すること、ホルダーごとに以下の工程を繰り返すことを特徴とする、請求項7記載の方法：
一つの吸引バッグ（3）を内容物排出装置（13）の一つのホルダーに配置することによって一回につき一つの吸引バッグ（3）を内容物排出装置（13）の中に配置する工程、吸引バッグ（3）の蓋（4）を穿刺するために蓋（14）を閉じる工程、および吸引バッグ（3）の中に加圧された液体または気体を供給する工程。
【発明の詳細な説明】
【技術分野】
【０００１】
本発明は、吸引バッグを中に入れるための蓋付き容器を含み、該容器が、吸引バッグの内容物の除去のための吐出点を有する、吸引バッグ内容物排出装置に関する。
【０００２】
本発明はまた、少なくとも一つの吸引バッグと吸引バッグ内容物排出装置とを含むアセンブリ、および吸引バッグを空にする方法に関する。
【背景技術】
【０００３】
米国特許公開公報第3,809,577号（特許文献1）は、蓋と、吸引バッグの底を切り開くハサミまたはナイフ型部材とを備えた装置を開示している。吸引バッグが装置の中のバスケットに入れられ、蓋が閉じられると、バスケットはハサミまたはナイフ型部材に向けて押し下げられて、ハサミまたはナイフ型部材が吸引バッグを切り開く。また、装置の蓋の閉止が洗浄工程を起動し、その工程で吸引バッグが洗浄され、消毒される。
【０００４】
上記公開公報の装置の問題点は、第一に、その構造が複雑であることである。第二に、吸引バッグを完全に空にすることができることが、または、洗浄が吸引バッグの外側から実施されるために吸引バッグの内側がくまなく洗浄されることが、確かではない。第三に、吸引バッグは、ハサミまたはナイフ型部材が届く範囲内にある地点で制御不能なやり方でカットされる。
【先行技術文献】
【特許文献】
【０００５】
【特許文献１】米国特許公開公報第3,809,577号
【発明の概要】
【０００６】
発明の簡単な説明
本発明の内容物排出装置は、上記問題に対する改善策を提供する。本発明の内容物排出装置は、蓋付き吸引バッグを該蓋によってホルダーから吊り下げるための該ホルダーと、吸引バッグの横方向支持のためのジャケットとを有し、内容物排出装置の蓋が、空にするバッグの蓋を穿刺するためのおよびバッグの中に加圧された液体または気体を供給するための手段を備えることを特徴とする。
【０００７】
内容物排出装置の構造は簡単であり、したがって、装置は信頼性が高く、メンテナンスフリーである。吸引バッグは完全に空にされ、その内側は、従来技術法を用いる場合よりも確実に洗浄され、必要ならば、消毒されることができる。バッグの内容物は、バッグの下部の一つの同じ地点から制御されたやり方で排出され、したがって、洗浄（rising）は吸引バッグのすべての部分に達し、体液を含有するポケットがバッグ中に残ることはない。処分しなければならないすべてが、たとえば焼却処分に付される空の吸引バッグであるとき、廃棄費用の有意な節約が達成される。
【０００８】
本発明の内容物排出装置のさらなる利点は、吸引バッグの外径が実質的に等しいならば、様々な長さの吸引バッグを空にするために該装置を使用することができることである。装置はまた、バッグを空にする人に当たるおそれがある鋭利な部品を用いずに構成され得る。また、吸引バッグの蓋が内容物排出装置に対してしっかりと嵌まり、内容物排出装置の蓋が何らかの理由で開けられたとしても、バッグの内容物が飛び散ることができないため、バッグを空にする人は、どんな飛び散りに対しても十分に防護される。
【０００９】
内容物排出装置は、吸引バッグに特に適しているが、内容物排出装置は、他の体液を収容するバッグを取り扱うために使用されてもよい。吸引バッグは、手術のような医療処置を実施する病院または他の施設で使用される。本発明の内容物排出装置は、以下に記すような吸引バッグを取り扱うために使用され得る。
【００１０】
吸引バッグは通常、バッグ部分と、バッグ部分に固着された蓋とを含む。バッグ部分はポリエチレンのような軟質プラスチック材料でできている。バッグ部分は管状プラスチックフィルムで形成されている。プラスチックフィルムの縁どうしを封着することによって管状プラスチックフィルムの一端が閉じられ、そのもう一方の端は蓋に固着される。また、蓋は、ポリエチレンまたはポリプロピレンのようなポリオレフィン系プラスチック材料でできているが、バッグ部分よりも硬質である。蓋は実質的に均質な部品片である。蓋は、患者から流体を送達するホースが結合される患者フィッティング部を有する。蓋はまた、負圧を伝達するための流路と、不純物が吸引システムに入ることを防ぐためのフィルターとを有する。フィルターは通常、吸引バッグの蓋の内面に留められるが、流路と連絡する他の場所に配置されてもよい。
【００１１】
吸引バッグは、一端が開いている捕集リザーバとともに使用され、それらがいっしょになって吸引バッグ構造を形成する。吸引バッグのバッグ部分が捕集リザーバの内側に配置され、吸引バッグの蓋が捕集リザーバを閉じる。捕集リザーバは、捕集リザーバの内面と吸引バッグの外面との間に負圧を発生させるために負圧供給源へ流れがつながっているフィッティング部を備える。蓋は、捕集リザーバの内面と蓋との間の空間から吸引バッグの内側部分に負圧を伝達するための流路を備える。
【００１２】
内容物排出装置における取り扱いに適した吸引バッグの詳細は、上記に開示されたものとは異なる場合もある。しかし、通常、バッグは、軟質のバッグ部分と、それに固着されたより硬質の蓋とを有する。
【００１３】
以下、バッグの構造および動作を説明する。記載される内容物排出装置はその作動位置にある。
【００１４】
バッグ内容物排出装置は、バッグを中に入れるための蓋付き容器を含む。バッグは容器中のホルダーに配置される。もっとも簡単な形態のホルダーは、吸引バッグの蓋の縁が載る容器の縁である。または、ホルダーは、バッグを吊り下げるのに適した、容器に提供された肩状部または他の構造であってもよい。肩状部は、容器の口にある環状部品片で形成され、部品片の内縁が内容物排出装置のジャケットの外壁に接する。加えて、少なくとも一つの吸引バッグ吊り下げ装置が吸引バッグの蓋に、またはそれと関連して提供され、対応するホルダーが内容物排出装置中に提供されてもよい。特に内容物排出装置が一回につき一つのバッグのみを取り扱うように使用される場合、ジャケットは容器ジャケットの内壁を形成し得る。内容物排出装置が、空にするバッグのための複数の位置を有する場合、位置ごとに別々のジャケットが提供される。吸引バッグの蓋の縁が肩状部などに載り、バッグのバッグ部分が垂れ下がる。
【００１５】
容器は、吸引バッグ内容物の除去のための吐出点を有する。内容物排出装置の蓋は、吸引バッグの蓋を穿刺するためのおよび空にするバッグの中に加圧された液体または気体を供給するための手段を備える。
【００１６】
バッグの蓋を穿刺するためのおよび空にするバッグの中に加圧された流体または気体を供給するための手段は様々な方法で実現され得る。たとえば、手段は、鈍い端部を有する中空の円錐体または切れ刃を有する中空の円柱体または尖った固定端部を有する中空の円錐体からなり得る。上記手段によって吸引バッグの蓋が穿刺され得る。これらの手段は開口を有し、吸引バッグの蓋が穿刺されたのち、この開口を通って流体または気体が流れ得る。上記は当然、当の手段をどのように実現し得るかの単なる例である。実際、バッグの蓋を穿刺するためのおよび空にするバッグの中に加圧された液体または気体を供給するための手段は一つまたは複数の部品からなり得るが、それらは、バッグの蓋を穿刺する機能およびバッグの中に加圧された液体または気体を供給する機能という二つの機能を実行するために使用される。蓋の外面には、当然、内容物排出装置を液体または気体供給源に連結するためのフィッティング部があり、このフィッティング部は更に、バッグの蓋を穿刺するためのおよび空にするバッグの中に加圧された流体または気体を供給するための手段に接続されている。
【００１７】
吸引バッグを空にするとき、吸引バッグは、蓋の縁がホルダーに当たるように内容物排出装置の中に配置される。ホルダーは、たとえば、ジャケットの外側を取り巻く環状の肩状部であり得る。また、容器の口だけで必要なホルダーを形成することも可能である。容器は、好ましくは、底からホルダーまでのその高さが吸引バッグの長さよりも大きいような寸法である。吸引バッグの長さとは、吸引バッグの蓋からバッグの底までの計測値を指す。吸引バッグが容器の底からホルダーまでの容器高さよりも短い場合、バッグの底は決して容器の底に接触しない。換言するならば、バッグは、その蓋の縁により、ホルダー、たとえば肩状部から垂れ下がる。
【００１８】
バッグが容器の内側に配置されると、内容物排出装置のカバーが閉じられる。すると、バッグの蓋を穿刺するための手段が蓋を穿刺する。空にするバッグの中に加圧された液体または気体を供給するための手段は、蓋が穿刺されたならば起動するように構成されている。換言するならば、液体または気体を運ぶ流路が吸引バッグの蓋を穿通すると、液体または気体は吸引バッグに流れ込み始める。
【００１９】
加圧された気体または液体の供給源は給水ネットワークまたは圧縮空気ネットワークであり得る。加圧された気体または液体の供給源はまた、消毒薬または滅菌剤を供給するために使用されてもよい。加圧された気体または液体の供給源の開放を蓋の閉止と連動させて、閉止が、空にするバッグの中への気体または液体流を自動的に開始するようにしてもよい。もっとも簡単な形態において、気体または液体供給源の開放は、手動で、たとえば給水栓を開くことによって起こしてもよい。
【００２０】
加圧された気体または液体が吸引バッグの蓋を通って流れ始めると、バッグの内側からの圧力がバッグに作用し始める。吸引バッグは、容器の内壁であってもよいジャケットまたはバッグの側面をその外壁の近くで包囲する何らかの他のジャケットによって横方向に支持されて、加圧下のバッグが、ジャケットによって守られた区域から膨れる可能性がないようにしている。したがって、吸引バッグの材料は、バッグの下部の、綴じ目のそばから膨らみ始め、その膨らみがバッグを破裂させる。すると、バッグの内容物がバッグから流れ出る。容器は、バッグの内容物が出るとき通過するように構成された吐出点を有する。吐出点は、たとえばジャケットまたは底の開口であってもよく、原則として、内容物排出装置が、たとえば下水管を備えた流し台に置かれたとき、容器の底全体が開放してもよい。また、吐出点を通って出た液体をさらなる処理のために密閉容器の中に誘導すること、または吐出点を通って出た流体を、下水管に流れ込む前に滅菌することが可能である。
【００２１】
流れを吐出点に向けて誘導するための少なくとも一つの誘導面がジャケットの内側にあってもよい。気体または液体流がバッグの内側を洗浄する。したがって、バッグは完全に空にされ、洗浄は、バッグの内側が洗浄されることを保証する。制御されたやり方で吸引バッグの底部に穴が開けられると、加圧された気体または液体がバッグ全体に流れ、体液が中に残るポケットがバッグ中に形成されることはない。
【００２２】
洗浄が十分な期間続いたのち、気体または液体流は遮断される、または、たとえば内容物排出装置のカバーが開かれたとき、もしくは設定洗浄時間が経過したとき、流れは自動的に停止する。次いで、洗浄されたバッグを内容物排出装置から取り出し、廃棄処分に付すことができる。
【００２３】
内容物排出装置はいくつかの方法で構成され得る。内容物排出装置は、図3〜6を参照して以下に開示されるような、一回につき一つのバッグのみを取り扱うための装置であってもよい。内容物排出装置が、空にするバッグのための一つの位置を有するとき、バッグを横方向に支持するジャケットは容器の内壁からなり得る。内容物排出装置は、一回につき複数のバッグを装置の中に配置するためのいくつかの位置を備えてもよい。内容物排出装置が、空にするバッグのための複数の位置を有するとき、バッグを横方向に支持するジャケットは容器の内側の別個の構造部品であってもよい。
【００２４】
装置は、吸引バッグの蓋を穿刺するためのおよび空にする吸引バッグの中に加圧された液体または気体を供給するための複数の手段を有する均質な蓋を備え得る。したがって、内容物排出装置の蓋の閉止は、複数のバッグの蓋が穿刺されることを可能にし、したがって、複数のバックの内容物排出および洗浄が同時に開始され得る。内容物排出装置はまた、一回につき複数のバッグを装置の中に配置するための複数の位置を備えてもよく、内容物排出装置はバッグごとに別々の蓋を有し、この蓋は、バッグの蓋を穿刺するためのおよび空にするバッグの中に加圧された気体または液体を供給するための手段を備える。このタイプの構成は、複数のバッグを同時に空にするおよび洗浄することを可能にし、これにより、第一のバッグが配置されているとき、蓋を閉じて内容物排出および洗浄をただちに開始し、同時に、他の位置の装填を継続することができる。
【００２５】
吸引バッグおよび内容物排出装置は、好ましくは、互いに適合性のアセンブリとして使用される。換言するならば、内容物排出装置は、特定の吸引バッグに対応するような寸法である。これは、内容物排出装置の利点をさらに引き出す。
[本発明1001]
吸引バッグを中に入れるための蓋付き容器（15）を含み、容器（15）が、該吸引バッグの内容物の除去のための吐出点（17）を有する、
内容物排出装置（13）が、蓋付き吸引バッグを該蓋によってホルダーから吊り下げるための該ホルダーと、該吸引バッグの横方向支持のためのジャケット（24）とを有し、内容物排出装置（13）の蓋（14）が、吸引バッグ（3）の蓋（4）を穿刺するためのおよび空にする吸引バッグ（3）の中に加圧された液体または気体を供給するための手段を備えることを特徴とする、
吸引バッグ用の内容物排出装置（13）。
[本発明1002]
内容物排出装置（13）が、空にする吸引バッグ（3）のための一つの位置を有し、該バッグを横方向に支持するジャケット（24）が、容器（15）の内壁であることを特徴とする、本発明1001の内容物排出装置。
[本発明1003]
内容物排出装置（13）が、空にする吸引バッグ（3）のための複数の位置を有し、該バッグを横方向に支持するジャケット（24）が、容器（15）の内側の別個の構造部品であることを特徴とする、本発明1001の内容物排出装置。
[本発明1004]
−  吸引バッグ（3）が、蓋（4）と、該蓋（4）に固着されたバッグ部分とを含み；
−  吸引バッグ内容物排出装置（13）が、
−  該吸引バッグの内容物の除去のための吐出点（17）を有する容器（15）と；
−  該容器（15）が、底からホルダーまでの高さを有し、この高さが吸引バッグ（3）の長さよりも大きい、蓋付き吸引バッグ（3）を該蓋（4）によって該ホルダーから吊り下げるための該ホルダーと；
−  吸引バッグ（3）の横方向支持のためのジャケット（24）と；
−  吸引バッグ（3）の蓋（4）を穿刺するためのおよび該吸引バッグの中に加圧された液体または気体を供給するための手段を備えた蓋（14）と
を含む、
少なくとも一つの吸引バッグ（3）と吸引バッグ内容物排出装置（13）とを含む、アセンブリ。
[本発明1005]
内容物排出装置（13）が、空にする吸引バッグ（3）のための一つの位置を有し、該バッグを横方向に支持するジャケット（24）が、容器（15）の内壁であることを特徴とする、本発明1005のアセンブリ。
[本発明1006]
内容物排出装置（13）が、空にする吸引バッグ（3）のための複数の位置を有し、該バッグを横方向に支持するジャケット（24）が、容器（15）の内側の別個の構造部品であることを特徴とする、本発明1004の内容物排出装置。
[本発明1007]
−  蓋と吸引バッグ（3）の内容物の除去のための吐出点（17）とを有し、蓋付き吸引バッグを該蓋（4）によってホルダーから吊り下げるための該ホルダーを有し、底から該ホルダーまでの高さを有し、この高さが吸引バッグ（3）の長さよりも大きい、容器（15）、該吸引バッグの横方向支持のためのジャケット（24）、ならびに該吸引バッグの蓋を穿刺するためのおよび空にする該吸引バッグの中に加圧された液体または気体を供給するための手段を備えた蓋（14）
を含む、内容物排出装置（13）を選択する工程；
−  液体を含む蓋付き吸引バッグ（3）をその蓋（4）によって内容物排出装置（13）の容器（15）の該ホルダーから吊り下げる工程；
−  吸引バッグ（3）の蓋（4）を穿刺するために該容器の蓋（14）を閉じる工程；
−  吸引バッグ（3）を空にするために該吸引バッグの中に加圧された液体または気体を供給する工程；
−  該加圧された液体または気体の流れを停止する工程；ならびに
−  空の吸引バッグ（3）を内容物排出装置（13）から取り出す工程
を含む、吸引バッグ（3）を空にする方法。
[本発明1008]
複数のホルダーを有する内容物排出装置（13）を選択すること、複数の吸引バッグ（3）を内容物排出装置（13）の該ホルダーに配置すること、吸引バッグ（3）を穿刺するために容器（15）の蓋（14）を閉じること、および吸引バッグ（3）の中に加圧された液体または気体を供給することを特徴とする、本発明1004の方法。
[本発明1009]
複数のホルダーおよび複数の蓋（14）を有する内容物排出装置（13）を選択すること、ホルダーごとに以下の工程を繰り返すことを特徴とする、本発明1004の方法：
一つの吸引バッグ（3）を内容物排出装置（13）の一つのホルダーに配置することによって一回につき一つの吸引バッグ（3）を内容物排出装置（13）の中に配置する工程、吸引バッグ（3）の蓋（4）を穿刺するために蓋（14）を閉じる工程、および吸引バッグ（3）の中に加圧された液体または気体を供給する工程。
【図面の簡単な説明】
【００２６】
以下、好ましい態様と関連して、添付図面を参照しながら本発明をさらに詳細に説明する。
【００２７】
【図１】吸引バッグ構造の側面図である。
【図２】図1の吸引バッグ構造の上面図である。
【図３】本発明の内容物排出装置の断面図である。
【図４】本発明の内容物排出装置の断面図である。
【図５】本発明の内容物排出装置の断面図である。
【図６】本発明の内容物排出装置の断面図である。
【発明を実施するための形態】
【００２８】
発明の詳細な説明
まず、図1および2は吸引バッグ3の構造および動作を開示する。図1および2の吸引バッグは、本発明の内容物排出装置によって空にするのに適した吸引バッグの一例である。
【００２９】
図1に示すものにしたがって、吸引バッグ構造は、一端が開いた捕集リザーバ1と、捕集リザーバ1に対して配設され得る、かつ蓋4に固着されている軟質バッグ部分を含む吸引バッグ3とを含む。捕集リザーバ1は、負圧供給源に流れがつながっているフィッティング部2と、捕集リザーバ1の内面と吸引バッグ3の外面との間の区域11に負圧を発生させるための流路10とを備える。蓋4は、流体用の患者ホースを吸引バッグ3の内部に接続するための患者フィッティング部5を備え、かつ蓋4は、捕集リザーバ1の内面と蓋4との間の空間からの負圧を吸引バッグ3の内部の中に伝達するための流路7と、不純物が吸引システムに入るのを防ぐためのフィルター6とを有する。フィルター6は吸引バッグ3の内側で蓋面に留められ、蓋4は均質な部品片である。
【００３０】
図2は吸引バッグ構造の上面図である。図1を参照して開示された部品に加えて、図2は、使用後に患者フィッティング部5を閉じるための、蓋4に組み込まれた栓8と、試料採取および内容物排出のために吸引バッグ構造を直列に接続するために使用されるフィッティング部9とを示す。
【００３１】
本発明の内容物排出装置が図3〜6に示されている。内容物排出装置13は、蓋14を備えた容器15を含む。蓋14は通常、容器15に蝶着されている。容器15は、ホルダー、この場合は肩状部16と、吐出点17とを有する。蓋14は、吸引バッグの蓋を穿刺するためのおよび空にする吸引バッグの中に加圧された液体または気体を供給するための手段を備える。図3〜6の場合、上述の手段は、鈍い円錐形ヘッド18を備えた中空の円柱体19によって形成されている。円柱体19は開口21を有し、この開口を通って、加圧された液体または気体が吸引バッグ3に流れ込む。吸引バッグの蓋を穿刺するためのおよび空にする吸引バッグの中に加圧された液体または気体を供給するための手段は様々な他の方法で実現されてもよい。鈍い円錐形ヘッド18を有する中空の円柱体19の代わりに、たとえば、切れ刃を備えた中空の円柱体を使用してもよく、または、吸引バッグ3の蓋4を穿刺する尖った固定ヘッドを備えた円錐体であって、円錐体の尖ったヘッドよりも上に、液体または気体を流れさせるための開口が設けられている円錐体を使用してもよい。
【００３２】
吸引バッグ3を空にするとき、吸引バッグは、蓋4の縁12が肩状部16に当たるように容器15の中に配置される。容器15は、好ましくは、底からホルダーまでのその高さが吸引バッグの長さよりも大きいような寸法である。その結果、吸引バッグ3の底は容器15の底に接触しない。換言するならば、図3に示すように、吸引バッグ3は肩状部16から垂れ下がる。
【００３３】
吸引バッグ3が容器15の中に配置されると、図4に示すように、内容物排出装置13の蓋が取っ手20によって閉じられる。取っ手20の移動が続くと、図5に示すように、円柱体19の円錐形端部18が吸引バッグ3の蓋4を穿刺する。中空の円柱体19は、蓋14を貫通して続いており、蓋14の外面側で、加圧された気体または液体の供給源に接続されている。加圧された気体または液体の供給源は、たとえば、給水ネットワークまたは圧縮空気ネットワークであり得る。加圧された気体または液体の供給源はまた、消毒薬または滅菌剤を供給するために使用されてもよいし、あるいはこれらの物質のための別個の容器が提供されて、その容器からこれらの物質が液体または気体流中に供給されてもよい。加圧された気体または液体の供給源の開放を蓋14の閉止と連動させて、閉止が、円柱体19を通って吸引バッグ3に入る気体または液体流を自動的に開始するようにしてもよい。もっとも簡単な形態において、気体または液体供給源の開放は、手動で、たとえば給水栓を開くことによって起こしてもよい。
【００３４】
加圧された気体または液体が、円柱体19の円錐形ヘッド18によって穿刺された開口から吸引バッグ3の蓋4を通って流れ始めると、吸引バッグ3の内側からの圧力が吸引バッグ3に作用し始める。容器15は、吸引バッグ3を横方向に支持する円柱形のジャケット24を有する。吸引バッグ3の材料は、吸引バッグ3の下部の、綴じ目のそばから膨らみ始める。その膨らみが図5中に参照番号23によって示されている。膨らみの結果、図6に示すように吸引バッグ3は破裂する。すると、吸引バッグ3の内容物が、吸引バッグ3から、まずは容器15の底へと、次いで吐出点17を通って容器15の外へと流れ出す。図3中、吐出点17は、単に容器15のジャケット中の開口として示されているが、吐出点17は、下水管に直結されてもよい。流れを吐出点17に向けて誘導するための少なくとも一つの誘導面22が容器15の内側にあってもよい。内容物排出装置が誘導面22を有する場合、誘導面22は、吸引バッグ3の一方の側で吸引バッグ3に接触し、他方の側は接触せずにぶら下がる。ジャケットにおける開口は、たとえば内容物排出装置13全体が下水管を備えた流し台に置かれたとき、良好に機能する。気体または液体が中空の円柱体19中を流れ続け、吸引バッグ3の内側を洗浄する。したがって、気体または液体が吸引バッグ3全体を通って流れ、また、膨らみの結果として吸引バッグ3の底に形成された穴を通って流れるため、吸引バッグ3は完全に空にされ、洗浄は、吸引バッグ3の内側が全体的に清浄であることを保証する。
【００３５】
洗浄が十分な期間続いたのち、気体または液体流は遮断される、または、たとえば内容物排出装置13のカバー14が開かれたとき、流れは自動的に停止する。そして、洗浄された吸引バッグ3を内容物排出装置13から取り出し、廃棄処分に付すことができる。
【００３６】
当業者には、技術の進歩とともに、本発明の基本概念が多くの異なる方法で具現化され得ることが明らかであろう。本出願において、内容物排出装置のジャケットは円柱形であるものとして記載されているが、ジャケットは同様に他の形状を有してもよい。ジャケットの断面は、たとえば楕円または多角形であってもよい。要点は、ジャケットが吸引バッグを吸引バッグの外面の十分に近くで横方向に支持するということである。したがって、本発明およびその態様は上記例に限定されず、特許請求の範囲内で変化し得る。
【図１】
0006436986.tif 000002
【図２】
0006436986.tif 000003
【図３】
0006436986.tif 000004
【図４】
0006436986.tif 000005
【図５】
0006436986.tif 000006
【図６】
0006436986.tif 000007